【事件の表示】
　特願２００１−３７２６８５「カメラシステム及びカメラ装置」拒絶査定不服審判事件〔平成１４年　８月２３日出願公開、特開２００２−２３７９８２〕について、次のとおり審決する。
【結　論】
　本件審判の請求は、成り立たない。
【理　由】
　１．手続の経緯・本願発明 
　本願は、平成８年３月２２日に出願した特願平８−６６３５９号の一部を平成１３年１２月６日に新たな特許出願としたものであって、その特許請求の範囲の請求項１ないし４に係る発明は、平成１６年１０月２８日付けの手続補正書により補正された明細書及び図面の記載からみて、本願の特許請求の範囲の請求項１ないし４に記載されたとおりのものと認められるところ、その請求項１に記載された発明（以下、「本願発明」という。）は次のとおりである。
　
　　　　　　　　　　記（本願発明）
　表示装置と、当該表示装置と無線通信を行うカメラ装置とから構成されるカメラシステムであって、
　当該カメラ装置は、当該カメラ装置のバッテリの残量に関する情報を当該表示装置に送信する無線送信手段を有し、
　当該カメラ装置のバッテリの残量に関する情報を当該表示装置に送信する周期を、当該カメラ装置のバッテリの残量に応じて短くすることを特徴とするカメラシステム。
　
　２．刊行物の記載 
　原査定の理由に引用された特開平１−２２７５８０号公報（以下、「刊行物１」という）には、以下のような記載がある。 
（ア）「〈産業上の利用分野〉
　本発明はワイヤレスのリモコンによる遠隔制御により撮影をするビデオカメラに適用して有用である。」（第１頁右下欄第２行〜第５行）
（イ）「状態表示信号ｃとは、撮影に必要な状態、例えば録画スタンバイ，録画中，露出不足警告，バッテリ警告，テープエンドアラーム等の状況を示す情報であり、この状態表示信号ｃが送られると、電子ビューファインダ１５のブラウン管では、撮影画像の上に重なって状態表示を示す文字・記号が映し出される。なお、この明細書中では、電子ビューファインダ１５に送られるビデオ信号ｂと状態表示信号ｃとを合せたものを、ビューファインダ信号ｄと定義して使用する。」（第２頁右上欄第８行〜第１９行）
（ウ）「液晶テレビ３０は小型のモニタ装置として用いており撮影者が携帯している。」（第２頁左下欄第１４行〜第１５行、第２図）
（エ）「〈実　施　例〉
　以下に本発明の実施例を第１図を基に説明する。」（第３頁左上欄第３行〜第５行）
（オ）「電子ビューファインダ１１５には、ビデオ信号ｂ及びキャラクタジェネレータ１１６から出力される状態表示信号ｃでなるビューファインダ信号ｄが入力され、電子ビューファインダ１１５により撮影画像及び状態表示を確認できる。ここまでは従来のものと同様な構成である。
　更に本実施例では、記録・再生部１１３から出力されたビデオ信号ｂは出力部１１７を通って切換回路１１９に至り、またビューファインダ信号ｄは電子ビューファインダ１１５のみならず切換回路１１９にも入力されるように配線がなされている。」（第３頁左上欄第１０行〜右上欄第２行、第１図）
（カ）「切換回路１１９は、制御部１１４の指令に基づき、ビューファインダ信号ｄとビデオ信号ｂのうちの一方の信号を選択して外部に出力する。受光部１１８は、ワイヤレスのリモコン４０から赤外線により送られてくる制御信号を受信し、これを制御部１１４に電気信号として送る。よってリモコン４０の操作ボタンを操作することによって、切換回路１１９から出力する信号を、ビューファインダ信号ｄとビデオ信号ｂのうちのどちらにするのかを選択することができる。」（第３頁右上欄第３行〜第１３行、第１図）
（キ）「ＲＦトランスミッタ２０は入力された信号をテレビ電波ｆに変換して送り出す。」（第３頁左下欄第４行〜第５行、第１図）
（ク）「液晶テレビ３０はテレビ電波ｆを受信して映し出す。」（第３頁左下欄第６行〜第７行、第１図）
（ケ）「かかる本実施例の装置を用いて遠隔制御により撮影をするには、撮影者は液晶テレビ３０とリモコン４０とを持っておくとともに、ＲＦトランスミッタ２０をビデオカメラ１１０に装着しておく。撮影者はビデオカメラ１１０から離れた場所でリモコン４０を操作してビデオカメラ１１０を撮影動作させる。」（第３頁左下欄第８行〜第１４行、第１図）
（コ）「一方、ビデオカメラ１１０が撮影動作している際中において、液晶テレビ３０にて状態表示を確認したいときには、リモコン４０の操作をして切換回路１１９によりビューファインダ信号ｄを選択させてこの信号ｄをＲＦトランスミッタに送る。このようにすることにより液晶テレビ３０では撮影画像の上に重ねて状態表示を示す文字・記号を映し出すことができ、バッテリ充電残量やテープ残量を確認できる。」（第３頁右下欄第２行〜第１１行、第１図）
（サ）「状態表示を確認した後そのまま続けて撮影をするときには、状態表示の文字・記号が液晶テレビ３０に映し出されていると本来の撮影画像が見にくいので、リモコン４０の操作をして切換回路１１９によりビデオ信号ｂを選択し、液晶テレビ３０には撮影画像のみを映し出しておくのが好ましい。」（第３頁右下欄第１２行〜第１８行、第１図）
（シ）「なお、上記実施例では液晶テレビ３０とリモコン４０とが別の装置であったが、両者を一体とした装置にしてもよい。」（第３頁右下欄第１９行〜第４頁左上欄第１行、第１図）
　
　３．対比 
　本願発明と刊行物１に記載された事項とを対比すると、以下のことが認められる。 
　　(ａ)カメラ装置、表示装置、カメラシステム
　刊行物１の「液晶テレビ３０」は、上記(ウ)(ク)から、本願発明の「表示装置」に相当する。
　刊行物１の「ビデオカメラ１１０」は、上記(ア)(ウ)(ク)から、本願発明の「カメラ装置」に相当する。
　上記(キ)(ク)(ケ)によれば、刊行物１の「ビデオカメラ１１０」は、ビューファインダ信号ｄまたはビデオ信号ｂを無線で「液晶テレビ３０」に送信することが認められ、また、上記(シ)および(カ)(ケ)(コ)によれば、「液晶テレビ３０」とワイヤレスの「リモコン４０」とを一体とした装置から、赤外線により制御信号を「ビデオカメラ１１０」に送信することも認められることから、刊行物１の「ビデオカメラ１１０」は、本願発明の「表示装置と無線通信を行うカメラ装置」に相当する。
　したがって、刊行物１には、本願発明の「表示装置と、当該表示装置と無線通信を行うカメラ装置とから構成されるカメラシステム」に相当する構成が認められる。
　　(ｂ)カメラ装置のバッテリの残量に関する情報
　刊行物１の「状態表示信号ｃ」は、撮影に必要な状態、例えばバッテリ警告等の状況を示す情報である（上記(イ)）こと、液晶テレビ３０に映し出すことにより、バッテリ充電残量等を確認できるものである（上記(コ)）ことからみて、本願発明の「カメラ装置のバッテリの残量に関する情報」を包含する。
　したがって、刊行物１の「状態表示信号ｃ」は、本願発明の「カメラ装置のバッテリの残量に関する情報」に相当する。
　　(ｃ)無線送信手段
　刊行物１の「ビデオカメラ１１０」は、上記(ク)および(キ)(ケ)によれば、（状態表示信号ｃを含む）ビューファインダ信号ｄをＲＦトランスミッタ２０によってテレビ電波に変換した信号を、「液晶テレビ３０」に送信することが認められる。
　したがって、刊行物１の「ビデオカメラ１１０」には、本願発明の「無線送信手段」に相当する構成が認められる。
　　(ｄ)送信する周期　
　上記(コ)(サ)から、リモコン４０の操作ボタンを操作することによって「カメラ装置１１０」の切換回路１１９から出力する信号として、ビデオ信号ｂと(バッテリ残量に関する情報を含む)状態表示信号ｃとからなるビューファインダ信号ｄを選択した後においては、リモコン４０の操作ボタンを操作することによって「カメラ装置１１０」の切換回路１１９から出力する信号としてビデオ信号ｂを選択するまでの間、ビデオ信号ｂと(バッテリ残量に関する情報を含む)状態表示信号ｃとからなるビューファインダ信号ｄが、「液晶テレビ３０」に繰り返し送信されることから、(バッテリ残量に関する情報を含む)状態表示信号ｃは、所定の周期で送信されるものと認められる。
　もっとも、カメラ装置のバッテリの残量に関する情報を表示装置に送信する周期を、本願発明においては、「当該カメラ装置のバッテリの残量に応じて短くする」のに対して、刊行物１においては、周期を短くすることについて明記されていない。相違が認められる。
　
　４．一致点および相違点 
　本願発明と刊行物１に記載された事項との一致点および相違点は、下記のとおりである。 
　　　　　　　　　　記（一致点） 
　表示装置と、当該表示装置と無線通信を行うカメラ装置とから構成されるカメラシステムであって、
　当該カメラ装置は、当該カメラ装置のバッテリの残量に関する情報を当該表示装置に送信する無線送信手段を有し、
　当該カメラ装置のバッテリの残量に関する情報を当該表示装置に所定の周期で送信することを特徴とするカメラシステム。
　
　　　　　　　　　　記（相違点） 
　カメラ装置のバッテリの残量に関する情報を表示装置に送信する周期を、本願発明では、カメラ装置のバッテリの残量に応じて短くするのに対し、刊行物１では、送信する周期をカメラ装置のバッテリの残量に応じて短くすることについては明記されていない点
　
　５．相違点等の判断 
　刊行物１においては、上記３．(ｄ)および３．(ｂ)で検討したように、「カメラ装置１１０」から、ビデオ信号ｂと（バッテリ残量に関する情報を含む）状態表示信号ｃとからなるビューファインダ信号ｄが、「液晶テレビ３０」に繰り返し送信されるものと認められる。
　また、「カメラ装置１１０」は、バッテリ残量に関する情報を送信するために、バッテリ残量を検出する手段を有することが明らかであり、バッテリ残量が検出される毎にバッテリ残量に関する情報が更新されるものと認められる。
　バッテリの残量に応じてバッテリ残量に関する情報を検出する周期を短くすることは、原査定の理由に引用された特開平５−２９７０８１号公報（特に段落００１２〜００１３等）等に記載されているように、バッテリで駆動する電子機器において周知のことにすぎない。
　してみれば、刊行物１において、バッテリの残量を検出する手段において、バッテリの残量に応じてバッテリ残量に関する情報を検出する周期を短くし、以てバッテリ残量に関する情報を更新する周期を短くすることは、上記周知事項を参照して容易になし得ることである。
　また、刊行物１において、バッテリ残量に関する情報を含む状態表示信号ｃを、ビデオ信号ｂと共に繰り返し送信するか、バッテリ残量が更新された場合のみ送信するかは、表示装置側における表示態様に応じて適宜選択し得ることにすぎない。
　したがって、上記相違点に係る構成は、刊行物１および上記周知事項から、当業者が容易になし得ることである。
　効果等
　以上のとおり、上記相違点に係る構成は当業者が容易になし得ることである。本願発明の効果も、刊行物１および上記周知事項から予測し得る程度のものにすぎない。 
　
　６．むすび 
　以上、本願の請求項１に係る発明は、刊行物１に記載された発明および周知事項に基づいて当業者が容易に発明をすることができたものであるから、特許法第２９条第２項の規定により特許を受けることができない。
　したがって、請求項２から請求項４までに係る各発明について特に検討するまでもなく、本願は拒絶をすべきものである。
　
　よって、結論のとおり審決する。